(57)【特許請求の範囲】
【請求項１】
センタ装置から端末側に至る信号伝送用の伝送線上に、
センタ装置側から伝送されてきた下り信号を増幅して端末側に出力する下り増幅回路と、該下り増幅回路から出力される下り信号の中から特定周波数の下り利得調整用信号を抽出して、該下り利得調整用信号が予め設定された下り信号レベルとなるように前記下り増幅回路の利得を調整する下り利得調整回路と、端末側より伝送されてきた上り信号を増幅してセンタ装置側に出力する上り増幅回路と、該上り増幅回路から出力される上り信号の中から特定周波数の上り利得調整用信号を抽出して、該上り利得調整用信号が予め設定された上り信号レベルとなるように前記上り増幅回路の利得を調整する上り利得調整回路と、前記下り増幅回路にて増幅された下り信号の一部を、前記伝送線を分岐した分岐線上に出力する分岐回路と、該分岐線を介して端末側より伝送されてきた上り信号と前記伝送線を介して端末側より伝送されてきた上り信号とを混合して前記上り増幅回路に入力する混合回路と、を備えた第１増幅器を備えると共に、該第１増幅器を介して前記伝送線から分岐した分岐線上に、少なくとも、前記下り増幅回路と、前記下り利得調整回路と、前記上り増幅回路と、前記上り利得調整回路とを備えた第２増幅器を備え、
更に、前記センタ装置側に、前記各増幅器の下り利得調整回路が前記下り増幅回路の利得調整を行うのに必要な下り利得調整用信号を生成して端末側に出力する下り利得調整用信号発生器を備えると共に、
前記第１増幅器が設けられる伝送線及び前記第２増幅器が設けられる分岐線の端末側終端に、夫々、前記第１増幅器及び第２増幅器の上り利得調整回路が前記上り増幅回路の利得調整を行うのに必要な上り利得調整用信号を各々生成してセンタ装置側に出力する上り利得調整用信号発生器を備えた双方向ＣＡＴＶシステムにおいて、
前記分岐線の端末側終端に設けられる上り利得調整用信号発生器が生成する上り利得調整用信号の信号レベルを、前記伝送線の端末側終端に設けられる上り利得調整用信号発生器が生成する上り利得調整用信号の信号レベルよりも低く設定すると共に、
前記伝送線及び分岐線の端末側終端に各々設けられる上り利得調整用信号発生器を、夫々、前記各上り利得調整回路が上り利得調整用信号として抽出可能な周波数範囲内で中心周波数が異なる上り利得調整用信号を生成するように構成したことを特徴とする双方向ＣＡＴＶシステム。
【請求項２】
前記分岐線の端末側終端に設けられる上り利得調整用信号発生器が生成する上り利得調整用信号の信号レベルと、前記伝送線の端末側終端に設けられる上り利得調整用信号発生器が生成する上り利得調整用信号の信号レベルとの差は、１０ｄＢ以上であることを特徴とする請求項１に記載の双方向ＣＡＴＶシステム。
【発明の詳細な説明】
【０００１】
【発明の属する技術分野】
本発明は、センタ装置から端末側へ、或いは端末側からセンタ装置側へと、信号を双方向に伝送可能な双方向ＣＡＴＶシステムに関し、特に、幹線及び分岐線に夫々設けられる中継・分岐用の増幅器において、センタ装置側及び端末側から伝送されてきた利得調整用信号を用いて増幅回路の利得を自動調整するように構成された双方向ＣＡＴＶシステムに関する。
【０００２】
【従来の技術】
従来より、双方向ＣＡＴＶシステムにおいて、センタ装置に接続された幹線や、幹線から分岐した分岐線、分岐線から更に分岐した分岐線等には、その線路の途中で伝送信号を双方向に増幅し、必要に応じてセンタ装置からの伝送信号を分岐線に分岐する、中継・分岐用の増幅器（分岐増幅器、中継増幅器等）が設けられる。また、こうした中継・分岐用の増幅器には、伝送信号を双方向に増幅するために、センタ装置から端末側への下り信号を増幅する下り増幅回路と、端末側からセンタ装置側への上り信号を増幅する上り増幅回路とが備えられている。
【０００３】
そして、これら各増幅回路には、各増幅回路の入力側に接続された伝送線で生じる伝送信号の減衰量が周囲温度の変化によって変化（減衰量は、１度当たり約０．０２％変化する）しても、各増幅回路から出力される増幅後の信号レベルが予め設定された信号レベルとなるように、各増幅回路の利得を調整する利得調整回路（所謂ＡＧＣ回路）が設けられている。
【０００４】
また、これら各増幅回路のＡＧＣ回路を機能されるために、双方向ＣＡＴＶシステムのセンタ装置側には、下り増幅回路の利得調整用信号（以下、下りパイロットキャリアという）として、下り信号の伝送周波数帯（例えば、７０ＭＨｚ〜５５０ＭＨｚ帯）の中で予め設定された周波数（例えば、４５１．２５ＭＨｚ）の信号を発生する発振器（以下、下りパイロットジェネレータという）が設けられ、上記各増幅器が設けられる幹線や分岐線の端末側終端には、上り増幅回路の利得調整用信号（以下、上りパイロットキャリアという）として、上り信号の伝送周波数帯（例えば、１０ＭＨｚ〜５５ＭＨｚ帯）の中で予め設定された周波数（例えば、４８ＭＨｚ）の信号を発生する発振器（上りパイロットジェネレータ）が設けられている。
【０００５】
そして、幹線や分岐線に設けられる各増幅器において、下り増幅回路に設けられる下りＡＧＣ回路は、下り増幅回路からの出力信号（下り信号）の中から下りパイロットキャリアを抽出して、この信号レベルが予め設定された下り信号レベルとなるように下り増幅回路の利得を調整し、上り増幅回路に設けられる上りＡＧＣ回路は、上り増幅回路からの出力信号（上り信号）の中から上りパイロットキャリアを抽出して、この信号レベルが予め設定された上り信号レベルとなるように上り増幅回路の利得を調整する。
【０００６】
【発明が解決しようとする課題】
ところで、幹線や分岐線に設けられる増幅器の内、センタ装置側からの下り信号を、その増幅器が設けられた伝送線だけでなく、この伝送線から分岐した分岐線側にも出力する分岐増幅器においては、分岐増幅器が設けられた伝送線を介して端末側から伝送されてきた上り信号と、分岐線を介して端末側から伝送されてきた上り信号とを混合して、上り増幅回路に入力する必要がある。
【０００７】
そして、この分岐増幅器から分岐した分岐線上に、各増幅回路用のＡＧＣ回路を内蔵した増幅器が設けられている場合、この分岐線の端末側からは、この増幅器に内蔵された上り増幅回路の利得を自動調整するための上りパイロットキャリアが伝送されてくるため、この分岐線の始点となる分岐増幅器にも、分岐線を介して、上りパイロットキャリアを含む上り信号が入力されることになる。
【０００８】
そして、このように分岐増幅器に対して、これが設けられた伝送線だけでなく、分岐線からも上りパイロットキャリアが入力された場合、伝送線及び分岐線から入力された上り信号をそのまま混合して上り増幅回路に入力するようにすると、上り増幅回路に入力される上りパイロットキャリアは、伝送線を介して入力される上りパイロットキャリアの２倍（上りパイロットキャリアを伝送してくる分岐線が複数あれば３倍，４倍…となる）の信号レベルとなってしまい、上りＡＧＣ回路を用いて上り増幅回路の利得を正常に制御できなくなってしまう。
【０００９】
例えば、上り増幅回路に、伝送線を介して入力される上りパイロットキャリアと分岐線を介して入力される上りパイロットキャリアが混合されて各信号の２倍の上りパイロットキャリアが入力された場合、その信号レベルは、正常値よりも約３ｄＢ（＝１０・log２）高くなることから、上り増幅回路の利得は、正常値よりも約３ｄＢ低い値に制御され、分岐増幅器からセンタ装置側に出力される上り信号が正常値よりも約３ｄＢ低くなってしまう。
【００１０】
そこで、従来では、分岐増幅器においては、分岐線を介して入力される上り信号の信号経路上に、上りパイロットキャリアの周波数成分のみを急峻に減衰させるフィルタ回路（バンドエリミネータ）を設け、分岐線を介して入力される上りパイロットキャリアの影響を受けることなく、上り増幅回路の利得を上りＡＧＣ回路にて正常に制御できるようにしている。
【００１１】
しかし、このフィルタ回路は、センタ装置に伝送すべき上り信号に影響を与えることなく、上り信号に含まれる上りパイロットキャリア成分のみを除去しなければならず、このためには、そのフィルタ回路の減衰特性を、上りパイロットキャリアの周波数を中心に極めて急峻（減衰量３５ｄＢ又はそれ以上）にしなければならない。そして、このためには、一般的なＬＣフィルタを使用することができず、水晶振動子を利用した高価なクリスタルフィルタを使用しなければならない。
【００１２】
このため、従来の双方向ＣＡＴＶシステムにおいて使用される伝送信号中継用の分岐増幅器は、このフィルタ回路を設けることにより、コストアップを招き、また、そのフィルタ回路と、分岐線の端末側終端に設ける上りパイロットキャリア発生用の上りパイロットジェネレータとの周波数特性を適合させる必要があるため、調整作業も面倒であるという問題があった。
【００１３】
また、特に、最近では、端末側からセンタ装置側に伝送する情報量を増加させるために、上り信号の伝送に、下り信号の伝送周波数帯よりも低い周波数帯だけでなく、下り信号の伝送周波数帯よりも高い周波数帯（例えば、６５０ＭＨｚ〜７７０ＭＨｚ帯）も使用することが考えられているが、このような高い周波数帯で特定周波数の信号を急峻に減衰させるフィルタ回路は、現在、実用化されてはおらず、このようなシステムにおいて、上述の従来技術を適用することはできないという問題もある。
【００１４】
本発明は、こうした問題に鑑みなされたものであり、双方向ＣＡＴＶシステムにおいて、分岐増幅器に対して、分岐増幅器が設けられた伝送線及びこの伝送線から分岐した分岐線の両方から、上り増幅回路の利得調整用の信号が入力されても、分岐線を介して入力された利得調整用信号を減衰させることなく、上り増幅回路の利得調整を正常に行うことができるようにすることを目的とする。
【００１５】
【課題を解決するための手段及び発明の効果】
かかる目的を達成するためになされた請求項１記載の双方向ＣＡＴＶシステムにおいては、センタ装置から端末側に至る信号伝送用の伝送線上に第１増幅器が設けられ、この第１増幅器を介して伝送線から分岐した分岐線上には第２増幅器が設けられる。
【００１６】
そして、第１増幅器及び第２増幅器においては、下り増幅回路が、センタ装置側から伝送されてきた下り信号を増幅して端末側に出力し、下り利得調整回路が、下り増幅回路から出力される下り信号の中から特定周波数の下り利得調整用信号を抽出して、その下り利得調整用信号が予め設定された下り信号レベルとなるように、下り増幅回路の利得を自動調整する。
【００１７】
また、第１増幅器及び第２増幅器においては、上り増幅回路が、端末側より伝送されてきた上り信号を増幅してセンタ装置側に出力し、上り利得調整回路が、上り増幅回路から出力される上り信号の中から特定周波数の上り利得調整用信号を抽出して、その上り利得調整用信号が予め設定された上り信号レベルとなるように、上り増幅回路の利得を自動調整する。
【００１８】
また更に、第１増幅器には、下り増幅回路にて増幅された下り信号の一部を、前記伝送線を分岐した分岐線上に出力する分岐回路と、その分岐線を介して端末側より伝送されてきた上り信号と伝送線を介して端末側より伝送されてきた上り信号とを混合して上り増幅回路に入力する混合回路とが備えられ、センタ装置側から伝送されてきた下り信号を伝送線と分岐線とを介して端末側に伝送し、伝送線及び分岐線を介して端末側から伝送されてきた上り信号を共にセンタ装置側に伝送できるようにされている。
【００１９】
また、本発明の双方向ＣＡＴＶシステムにおいては、前述した従来装置と同様、センタ装置側には、上記各増幅器の下り利得調整回路が下り増幅回路の利得調整を行うのに必要な下り利得調整用信号を生成して端末側に出力する下り利得調整用信号発生器が設けられ、第１増幅器が設けられる伝送線及び第２増幅器が設けられる分岐線の端末側終端には、夫々、第１増幅器及び第２増幅器の上り利得調整回路が上り増幅回路の利得調整を行うのに必要な上り利得調整用信号を各々生成してセンタ装置側に出力する上り利得調整用信号発生器が設けられる。
【００２０】
そして、本発明では、分岐線の端末側終端に設けられる上り利得調整用信号発生器が生成する上り利得調整用信号の信号レベルを、伝送線の端末側終端に設けられる上り利得調整用信号発生器が生成する上り利得調整用信号の信号レベルよりも低くなるように設定している。
【００２１】
即ち、第１増幅器を介して分岐した分岐線上に利得調整回路を内蔵した第２増幅器が設けられ、その分岐線の端末側終端に、この第２増幅器内の上り増幅回路の利得調整用の信号を発生する上り利得調整用信号発生器が設けられている場合、第１増幅器には、この第１増幅器が設けられた伝送線の端末側からだけでなく、分岐線の端末側からも、上り利得調整用信号が入力されることになる。
【００２２】
そして、この場合、伝送線及び分岐線を介して端末側から伝送されてきた上り信号をそのまま混合して上り増幅回路に入力するようにすると、上り利得調整用信号が分岐線の数に応じて２倍，３倍…となって、上り利得調整回路により、上り増幅回路の利得を正常に調整することができなくなる。
【００２３】
そこで、本発明では、伝送線や分岐線の端末側終端に設けられる上り利得調整用信号発生器が発生する上り利得調整用信号の信号レベルを、分岐線側の上り利得調整用信号の信号レベルを、伝送線側の上り利得調整用信号よりも小さい信号レベルに設定することにより、これら各信号が混合されて第１増幅器の上り増幅回路に入力されても、その信号レベルが大きく変化しないようにしている。
【００２４】
このため、本発明によれば、従来のように、第１増幅器内に、分岐線を介して入力される上り利得調整用信号を減衰させるための、クリスタルフィルタ等からなる高価なフィルタ回路を設けることなく、上り増幅回路の利得調整を正常に行うことが可能になり、第１増幅器のコストダウンを図り、双方向ＣＡＴＶシステムを安価に構築できることになる。
【００２５】
また更に、本発明の双方向ＣＡＴＶシステムにおいては、伝送線及び分岐線の端末側終端に各々設けられる上り利得調整用信号発生器が、夫々、各上り利得調整回路が上り利得調整用信号として抽出可能な周波数範囲内で中心周波数が異なる上り利得調整用信号を生成するよう構成される。
【００２６】
これは、伝送線及び分岐線の端末側終端に設けられた各上り利得調整用信号発生器が発生する上り利得調整用信号の周波数を全て同一周波数に設定すると、これら各信号が混合されて第１増幅器内の上り増幅回路に入力される際に、各信号の位相差により上り利得調整用信号の信号レベルが変動することが考えられるためである。
つまり、本発明では、こうしたレベル変動の影響を受けることなく、上り増幅回路の利得調整を安定して実行させるために、伝送線及び分岐線の端末側終端に設けられる各上り利得調整用信号発生器が発生する上り利得調整用信号の周波数をずらして、各信号の位相差によるレベル変動が生じないようにするのである。
【００２７】
よって、本発明の双方向ＣＡＴＶシステムによれば、第１増幅器内の上り利得調整回路による上り増幅回路の利得調整を安定して実行させ、第１増幅器からセンタ装置側に出力される上り信号を安定化することができる。
尚、本発明のように、伝送線側上り利得調整用信号に対して、分岐線側上り利得調整用信号の方がレベルが小さくなるように設定する場合、これら各信号のレベル差は、請求項２に記載のように、１０ｄＢ以上にすることが好ましい。
【００２８】
これは、４本の分岐線にセンタ装置側からの伝送信号を分岐するように構成された一般的な分岐増幅器に対し、全ての分岐線から上り利得調整用信号を入力するようにして、実験を行ったところ、各分岐線からの上り利得調整用信号と、伝送線からの上り利得調整用信号とのレベル差を１０ｄＢに設定すると、上り増幅回路への上り利得調整用信号の入力レベルは、伝送線から入力される上り利得調整用信号に対して、約０．２ｄＢ程度上昇するだけであり、実用上問題がないことがわかったためである。
【００２９】
尚、第１増幅器内の上り利得調整回路による利得調整をより正確に実行させるには、上記各上り利得調整用信号のレベル差をできるだけ大きくすればよいが、分岐線の端末側終端に設ける上り利得調整用信号発生器が生成する上り利得調整用信号の信号レベルを小さくしすぎると、分岐線に設けられた第２増幅器内で上り利得調整回路が上り増幅回路の利得調整を行う際の信号レベルが小さくなりすぎ、良好な利得調整を実行できなくなる虞がある。
そして、第１増幅器内の上り利得調整回路を実用上問題のない範囲で動作させるには、上記請求項２に記載のように、各上り利得調整用信号のレベル差を１０ｄＢ以上に設定すればよいため、このレベル差としては、１０ｄＢ〜１５ｄＢ程度に設定するとよい。
【００３０】
また、例えば、第１増幅器を介して分岐された分岐線上に設けられる第２増幅器が、第１増幅器と同様に分岐増幅器として機能し、この第２増幅器を介して分岐された下位の分岐線にも、第２増幅器として機能する第３の増幅器が設けられ、この第３の増幅器が設けられた下位の分岐線の端末側終端にも上り利得調整用信号を発生する上り利得調整用信号発生器が設けられているようなＣＡＴＶシステムであれば、この下位の分岐線の端末側終端に設けられた利得調整用信号発生器が発生する利得調整用信号の信号レベルを、上位の分岐線の端末側終端に設けられた利得調整用信号発生器が発生する信号レベルよりも更に小さい信号レベルに設定するようにすればよい。
【００３１】
【発明の実施の形態】
以下に本発明の実施例を図面と共に説明する。
図１は、本発明が適用された実施例の双方向ＣＡＴＶシステム全体の構成を表す構成図である。
【００３２】
図１に示す如く、本実施例の双方向ＣＡＴＶシステムは、センタ装置２から端末側に、所定の伝送周波数帯（例えば、７０ＭＨｚ〜５５０ＭＨｚ帯）の伝送信号を下り信号（図１，図２に点線矢印で示す）として伝送し、端末側からセンタ装置２側には、下り信号よりも周波数の低い伝送周波数帯（例えば、１０ＭＨｚ〜５５ＭＨｚ帯）の上り信号（図１，図２に実線矢印で示す；以下、上りＬ信号という）と、下り信号よりも周波数の高い伝送周波数帯（例えば、６５０ＭＨｚ〜７７０ＭＨｚ帯）の上り信号（図１，図２に一点鎖線矢印で示す；以下、上りＨ信号という）とを夫々伝送するようにされている。
【００３３】
そして、これら各信号を、センタ装置２と当該システムの加入者側端末装置との間で双方向に伝送するための伝送線として、センタ装置２に接続された幹線４と、幹線４から分岐した多数の分岐線（以下、枝線という）６と、各枝線６から更に分岐して図示しない端末装置に至る下位の分岐線８とを備える。
【００３４】
そして、幹線４には、請求項１記載の第１増幅器として、幹線４を流れる伝送信号を双方向に増幅し、且つ、信号経路を幹線４から枝線６に分岐させる多数の幹線分岐増幅器１０が所定の間隔をあけて配置されている。また、枝線６には、請求項１記載の第２増幅器として、枝線６を流れる伝送信号を双方向に増幅し、且つ、信号経路を枝線６から下位の分岐線８に分岐させる多数の分岐増幅器（以下、枝線分岐増幅器という）２０が所定の間隔を開けて配置され、更に分岐線８上には、分岐線８を流れる伝送信号を双方向に増幅する中継増幅器３０が設けられている。
【００３５】
次に、幹線４及び枝線６に設けられた各分岐増幅器１０，２０は、図２に示すように、幹線４又は枝線６を介してセンタ装置２側の入力端子Ｔinから入力された下り信号を、ハイパスフィルタ（以下、ＨＰＦと記載する）４１及びローパスフィルタ（以下、ＬＰＦと記載する）４２を介して取り込み、所定レベルまで増幅した後、ＬＰＦ４３及びＨＰＦ４４を介して、出力端子Ｔout から端末側に出力させる下り増幅回路７０と、幹線４又は枝線６を介して端末側の出力端子Ｔout から入力された上りＨ信号を、ＨＰＦ４４及びＨＰＦ４５を介して取り込み、所定レベルまで増幅した後、ＨＰＦ４６及びＨＰＦ４０を介して、入力端子Ｔinからセンタ装置２側に出力させる上りＨ増幅回路８０と、幹線４又は枝線６を介して端末側の出力端子Ｔout から入力された上りＬ信号を、ＬＰＦ４７を介して取り込み、所定レベルまで増幅した後、ＬＰＦ４８を介して、入力端子Ｔinからセンタ装置２側に出力させる上りＬ増幅回路９０と、を備える。
【００３６】
そして、入力端子ＴinとＨＰＦ４１，ＬＰＦ４８との間、及び、出力端子Ｔout とＨＰＦ４４，ＬＰＦ４７との間には、夫々、幹線４又は枝線６に落雷等によって誘起される高電圧から内部回路を保護するための耐雷フィルタ４９，５０が設けられている。
【００３７】
次に、分岐増幅器１０，２０には、幹線４から枝線６又は枝線６から分岐線８へと伝送経路を分岐するため、分岐端子（本実施例では４個）ＴDCが備えられている。そして、下り増幅回路７０から出力される下り信号の一部は、分岐回路５１にて分岐され、更に、増幅回路５２で増幅されされた後、ＬＰＦ５３，ＨＰＦ５４を介して分配回路５５に入力される。また、分配回路５５では、下り信号が、分岐端子ＴDCの個数に対応した数に分配（本実施例では４分配）され、耐雷フィルタ５６，５７，５８，５９を介して、各分岐端子ＴDCから枝線６又は分岐線８側に出力される。
【００３８】
一方、分岐端子ＴDCには、これが接続された枝線６又は分岐線８側の端末装置から上りＬ信号及び上りＨ信号が入力されるが、これら各分岐端子ＴDCからの入力信号は、分配回路５５にて混合される。そして、その混合された入力信号の内、上りＨ信号は、ＨＰＦ５４及びＨＰＦ６０を介して、混合回路６１に入力され、混合回路６１にて、端末側より出力端子Ｔout に入力された上りＨ信号と混合されて、上りＨ増幅回路８０に入力される。また、分配回路５５にて混合された上りＬ信号は、ＬＰＦ６２を介して、混合回路６３に入力され、混合回路６３にて、端末側より出力端子Ｔout に入力された上りＬ信号と混合されて、上りＬ増幅回路９０に入力される。
【００３９】
次に、下り増幅回路７０は、縦続接続された２段の増幅回路７１，７２と、その間に設けられた利得調整用の減衰回路（所謂アッテネータ；以下、ＡＴＴと記載する）７３と、後段の増幅回路７２からの出力信号の一部を取り出す分岐回路７４と、この分岐回路７４にて取り出した下り信号の内、予め設定された所定周波数（例えば、    ＭＨｚ）の下り利得調整用信号（下りパイロットキャリア）のみを通過させるバンドパスフィルタ（以下、ＢＰＦと記載する）７５と、このＢＰＦ７５を通過した下りパイロットキャリアを検波する検波回路７６と、検波回路７６により検波された下りパイロットキャリアの信号レベル（電圧）が予め設定された下り信号レベルとなるようＡＴＴ７３の減衰量を調整することにより、下り増幅回路７０の利得を調整するＡＧＣ回路７７とから構成されている。尚、この下り増幅回路７０において、ＡＴＴ７３，分岐回路７４，ＢＰＦ７５，検波回路７６，及びＡＧＣ回路７７は、請求項１に記載の下り利得調整回路として機能する。
【００４０】
また、上りＨ増幅回路８０は、２段の増幅回路８１，８２と、その間に設けられた利得調整用のＡＴＴ７３と、後段の増幅回路８２からの出力信号の一部を取り出す分岐回路８４と、この分岐回路８４にて取り出した下り信号の内、予め設定された所定周波数（例えば、７７１．５ＭＨｚ）の上りＨ利得調整用信号（上りＨパイロットキャリア）のみを通過させるバンドパスフィルタ（以下、ＢＰＦと記載する）８５と、このＢＰＦ８５を通過した上りＨパイロットキャリアを検波する検波回路８６と、検波回路８６により検波された上りＨパイロットキャリアの信号レベル（電圧）が予め設定された上りＨ信号レベルとなるようＡＴＴ８３の減衰量を調整することにより、上りＨ増幅回路８０の利得を調整するＡＧＣ回路８７とから構成されている。尚、この上りＨ増幅回路８０において、ＡＴＴ８３，分岐回路８４，ＢＰＦ８５，検波回路８６，及びＡＧＣ回路８７は、請求項１に記載の上り利得調整回路として機能する。
【００４１】
そして、上りＬ増幅回路９０は、上りＨ増幅回路８０と全く同様に構成されており、異なる点は、ＢＰＦ８５を介して抽出すべき信号が、上りＬ増幅回路９０の利得調整用信号（上りＬパイロットキャリア；周波数４８ＭＨｚ）であることから、ＢＰＦ８５の信号通過周波数帯域がこの上りＬパイロットキャリアに対応して設定され、ＡＧＣ回路８７がＡＴＴ８３の減衰量を調整する際の目標信号レベル（電圧）が、上りＬパイロットキャリアに対応した上りＬ信号レベルに設定されていることである。
【００４２】
このように、幹線４に設けられる幹線分岐増幅器１０、及び、幹線分岐増幅器１０を介して分岐した枝線６に設けられる枝線分岐増幅器２０には、夫々、伝送信号を双方向に増幅するための下り増幅回路７０，上りＨ増幅回路８０，及び上りＬ増幅回路９０が設けられ、更に、これら各増幅回路７０，８０，９０には、増幅対象となる各周波数帯の伝送信号に含まれるパイロットキャリアを用いて利得調整を行うための、ＡＴＴ，分岐回路，ＢＰＦ，検波回路及びＡＧＣ回路からなる利得調整回路が設けられている。
【００４３】
このため、本実施例の双方向ＣＡＴＶシステムにおいては、これら各分岐増幅器１０，２０に内蔵された利得調整回路を動作させるために、センタ装置２には、下りパイロットキャリアを生成して端末側に出力するパイロットジェネレータＰＧ０が設けられ、上記各分岐増幅器１０，２０が設けられた幹線４及び枝線６の端末側終端には、上りＨパイロットキャリア及び上りＬパイロットキャリアを生成してセンタ装置２側に出力するパイロットジェネレータＰＧ１，ＰＧ２，ＰＧ３，…が設けられている。尚、センタ装置２に設けられたパイロットジェネレータＰＧ０は、請求項１記載の下り調整用信号発生器に相当し、幹線４及び枝線６の端末側終端に設けられたパイロットジェネレータＰＧ１，ＰＧ２，ＰＧ３，…は、請求項１記載の上り調整用信号発生器に相当する。
【００４４】
そして、上りＨパイロットキャリア及び上りＬパイロットキャリアを生成するパイロットジェネレータＰＧ１，ＰＧ２，ＰＧ３，…は、基本的には、予め各パイロットキャリア毎に設定された周波数（上りＨ利得調整用；７７１．５ＭＨｚ、上りＬ利得調整用；８４ＭＨｚ）で各パイロットキャリアを生成するものであるが、本実施例では、各分岐増幅器１０，２０の上りＨ増幅回路８０及び上りＬ増幅回路９０に設けられたパイロットキャリア抽出用のＢＰＦ８５を通過可能な範囲内で、各パイロットジェネレータＰＧ１，ＰＧ２，ＰＧ３，…の発振周波数を１０ｋＨｚ程度ずらし、各パイロットジェネレータＰＧ１，ＰＧ２，ＰＧ３，…から出力される上りＨ及び下りＨパイロットキャリアの中心周波数が違いに異なるように設定されている（図３参照）。
【００４５】
また、これらパイロットジェネレータＰＧ１，ＰＧ２，ＰＧ３，…の内、幹線４に設けられるパイロットジェネレータＰＧ１は、枝線６に設けられるパイロットジェネレータＰＧ２，ＰＧ３，…に比べて、上りＨ及び下りＨパイロットキャリアの出力レベルが１０〜１５ｄＢ程度大きくなるように設定されている（図３参照）。尚、図３は、各パイロットジェネレータＰＧ１，ＰＧ２，ＰＧ３，…から出力される周波数７７１．５ＭＨｚの上りＬ利得調整用パイロットキャリア（上りＨパイロットキャリア）を表しているが、これら各パイロットジェネレータＰＧ１，ＰＧ２，ＰＧ３，…から出力される上りＬ利得調整用パイロットキャリア（上りＬパイロットキャリア）も、その周波数が異なる（８４ＭＨｚ）だけで、上りＨパイロットキャリアと同様に生成される。
【００４６】
この結果、幹線分岐増幅器１０に対して、幹線分岐増幅器１０から分岐した枝線６を介して、上りＨ及び上りＬパイロットキャリアが入力され、これが幹線４の端末側から伝送されてきた上りＨ及び上りＬパイロットキャリアと混合されて、上りＨ及び上りＬ増幅回路８０，９０に入力されても、各パイロットキャリアの信号レベルが、幹線４の端末側から伝送されてきた上りＨ及び上りＬパイロットキャリアの信号レベルから大きく変動（上昇）することはなく（実験結果では、０．２ｄＢ程度上昇するだけ）、幹線分岐増幅器１０における上りＨ及び上りＬ増幅回路８０，９０において、これら各パイロットキャリアを用いた利得調整を正常に実行することが可能になる。
【００４７】
従って、本実施例の双方向ＣＡＴＶシステムによれば、幹線分岐増幅器１０において、上りＨ及び上りＬ増幅回路８０，９０の利得調整を正常に実行するために、従来のように、幹線分岐増幅器１０における上りＨ及び上りＬ増幅回路８０，９０への上り信号入力経路（具体的には、分岐端子ＴDCから混合回路６１，６３に至る経路）に、上りＨ及び上りＬパイロットキャリアを減衰させるためのフィルタ回路（クリスタルフィルタ）を設ける必要はなく、幹線分岐増幅器１０、延いては双方向ＣＡＴＶシステムのコストダウンを図ることが可能になる。
【００４８】
尚、上記説明では、枝線分岐増幅器２０から分岐した分岐線８に配置される中継増幅器３０については特に説明しなかったが、この中継増幅器３０が、上記各分岐増幅器１０，２０と同様に、利得調整機能を有する上りＨ増幅回路８０及び上りＬ増幅回路９０を内蔵し、分岐線８の端末側終端にも、これら各増幅回路８０，９０の利得調整用のパイロットキャリア（上りＨ及び上りＬパイロットキャリア）を発生するパイロットジェネレータが設けられている場合には、このパイロットジェネレータが発生する各パイロットキャリアの信号レベルを、枝線６の端末側終端に設けられたパイロットジェネレータＰＧ２，ＰＧ３，…が発生する各パイロットキャリアの信号レベルよりも、１０ｄＢ〜１５ｄＢ程度小さいレベルに設定すればよい。つまり、このようにすれば、枝線分岐増幅器２０の上りＨ及び上りＬ増幅回路８０，９０に、分岐線８から入力される各パイロットキャリアが混合回路６１，６３を介して入力されても、上りＨ及び上りＬ増幅回路８０，９０の利得調整を正常に行うことが可能になる。
【００４９】
以上、本発明の一実施例について説明したが、本発明は、上記実施例に限定されるものではなく、種々の態様を採ることができる。
例えば、上記実施例では、端末側からセンタ装置２側には、下り信号よりも周波数の高い上りＨ信号と、下り信号よりも周波数の低い上りＬ信号との２種類の上り信号を伝送し、第１増幅器としての幹線分岐増幅器１０及び第２増幅器としての枝線分岐増幅器２０には、夫々、下り信号増幅用の下り増幅回路７０と、各上り信号増幅用の上りＨ及び上りＬ増幅回路８０，９０とが設けられるものとして説明したが、本発明は、端末側からセンタ装置２側には、下り信号よりも周波数の低い上り信号のみを伝送し、第１増幅器として機能する分岐増幅器及び第２増幅器として機能する分岐或いは中継増幅器には、下り信号増幅用の下り増幅回路と上り信号増幅用の上り増幅回路とが設けられたＣＡＴＶシステムであっても、上記実施例と同様に適用して、同様の効果を得ることができる。
【図面の簡単な説明】
【図１】  実施例の双方向ＣＡＴＶシステム全体の構成を表す構成図である。
【図２】  幹線分岐増幅器及び枝線分岐増幅器の構成を表すブロック図である。
【図３】  幹線及び枝線の端末側終端に設けられたパイロットジェネレータが発生する上りＨパイロットキャリアの特性を表す説明図である。
【符号の説明】
２…センタ装置、４…幹線、６…枝線、８…分岐線、１０…幹線分岐増幅器、２０…枝線分岐増幅器、３０…中継増幅器、５１…分岐回路、５５…分配回路、６１，６３…混合回路、７０…下り増幅回路、８０…上りＨ増幅回路、９０…上りＬ増幅回路、７５，８５…ＢＰＦ（バンドパスフィルタ）、７６，８６…検波回路、７７，８７…ＡＧＣ回路、ＰＧ０，ＰＧ１，ＰＧ２，ＰＧ３…パイロットジェネレータ。
【図１】
0004074716.tif 000002
【図２】
0004074716.tif 000003
【図３】
0004074716.tif 000004